(57)【要約】【課題】  映像再生装置において、ディジタル映像信号とアナログ映像信号の出力タイミングを同期させる。【解決手段】  映像再生装置において、同期情報を含むディジタル映像情報が記録された記録媒体からディジタル映像及び同期情報を読み出す読み出し部と、読み出し部が読み出したディジタル映像情報及び同期情報を復調する復調部と、復調部から１本の伝送線により入力されるディジタル映像情報及び同期情報に基づいてディジタル映像信号を出力するディジタル映像出力部と、復調部から１本の伝送線により入力されるディジタル映像情報をアナログ映像信号に変換して出力するアナログ映像出力部と、読み出し部から読み出した同期情報に基づいてアナログ映像出力部の出力タイミングを制御し、ディジタル映像出力部からのディジタル映像信号の出力とアナログ映像出力部からのアナログ映像信号の出力を同期させる制御部とを備える。【選択図】      図１
2007096404.tif 000002
【特許請求の範囲】
【請求項１】
同期情報を含むディジタル映像情報が記録された記録媒体からディジタル映像及び同期情報を読み出す読み出し部と、前記読み出し部が読み出したディジタル映像情報及び同期情報を復調する復調部と、前記復調部から１本の伝送線により入力される前記復調部が復調したディジタル映像情報及び同期情報に基づいてディジタル映像信号を出力するディジタル映像出力部と、前記復調部から１本の伝送線により入力される前記復調部が復調したディジタル映像情報をアナログ映像信号に変換して出力するアナログ映像出力部と、前記読み出し部から読み出した同期情報に基づいて前記アナログ映像出力部が出力するアナログ映像信号の出力タイミングを制御し、前記ディジタル映像出力部からのディジタル映像信号の出力と前記アナログ映像出力部からのアナログ映像信号の出力を同期させる制御部とを備えることを特徴とする映像再生装置。
【発明の詳細な説明】
【技術分野】
【０００１】
本発明は、同期情報を含むディジタル映像情報が記録された光ディスク等の記録媒体から映像を再生して出力する映像再生装置に関する。
【背景技術】
【０００２】
同期情報を含むディジタル映像情報が記録された光ディスク等の記録媒体から映像を再生して出力する映像再生装置において、走査線一本分のディジタル映像信号の中に、表示する映像データ、映像データの開始を示す同期データSAV(Start of Active Video)、アクティヴ映像データの終了を示す同期データEAV(End of Active Video)を含むディジタル映像信号として伝送する装置がある(特許文献１参照)。
【０００３】
図３は、従来の映像再生装置の一例の構成を示すブロック図である。ディスク読み出し部１は、ＤＶＤ(Digital Versatile Disc)等に記録された、同期情報を含むディジタル映像情報を読み出す。ＭＰＥＧ(Moving Picture Experts Group)デコーダ２は、ディスク読み出し部１が読み出したディジタル映像情報を復調し、復調したディジタル映像信号を、ディジタル映像信号出力部４及びアナログ映像信号出力部５に出力する。ディジタル映像信号出力部４は、ディジタル映像信号を、出力端子４aに出力する。アナログ映像信号出力部５は、ディジタル映像信号をアナログ映像信号に変換して、出力端子５aに出力する。
ここで、ディジタル映像信号出力部４とアナログ映像信号出力部５とで、各々、正常な映像を表示装置に表示させるために必要とする同期タイミングが異なることがある。
【０００４】
【特許文献１】特開平１１−２５９０５６号公報
【発明の開示】
【発明が解決しようとする課題】
【０００５】
特許文献１の装置は、複数の映像信号を出力するものではないため、ディジタル映像信号とアナログ映像信号を同時に出力する機能を備えていなかった。
【０００６】
従来の映像再生装置において、ディジタル映像信号出力部４が出力するディジタル映像信号とアナログ映像信号出力部５が出力するアナログ映像信号とを表示させるために必要とする同期タイミングがそれぞれ異なる場合、ＭＰＥＧデコーダ２と、ディジタル映像信号出力部４及びアナログ映像信号出力部５との間に、ディジタル映像信号をその同期タイミングを変えて入力するための複数の伝送線が必要になる。
【０００７】
即ち、異なるタイミングの同期情報を含む２系統のディジタル映像信号の出力回路をＭＰＥＧデコーダ２に設け、ＭＰＥＧデコーダ２と、ディジタル映像信号出力部４及びアナログ映像信号出力部５との間を、それぞれ伝送線で接続することによって、ＭＰＥＧデコーダ２から、それぞれの異なる同期タイミングに対応したディジタル映像信号を同時に出力させ、ディジタル映像信号出力部４及びアナログ映像信号出力部５から、同期タイミングを合わせたディジタル映像信号とアナログ映像信号とを同時に出力することが可能になる。
【０００８】
一般的に使用されるディジタル映像信号の伝送線は８本必要であり、図３に示す映像再生装置においては、ＭＰＥＧデコーダ２からディジタル映像信号出力部４への伝送線を８本、ＭＰＥＧデコーダ２からアナログ映像信号出力部５への伝送線を８本、計16本の伝送線を要する。より高精細な映像を再生するための映像再生装置においては、ディジタル映像信号を転送するために10本の伝送線を設けるものがあり、その場合であれば、計20本の伝送線を必要とする。ディジタル映像信号の転送速度は、10MHz以上と高速である。
【０００９】
複数の映像信号を出力する構成では、伝送線の配線数が多くなり、煩雑であった。ディジタル映像信号の転送速度は10MHz以上と高速であるため、映像信号の伝送線の配線数を増やすと、実装する基板面積を大きく取り、周囲の他の電気回路へのノイズの影響を生じたり、装置外部への電磁波の不要輻射を増加させたりする問題点があった。
【００１０】
本発明の目的は、映像再生装置において、伝送線数を最小限として、記録媒体から読み出した映像情報をディジタル映像信号及びアナログ映像信号として、同期タイミングを合わせて同時に出力することができるようにした装置を提供することにある。
【課題を解決するための手段】
【００１１】
本発明の請求項１に記載の映像再生装置は、同期情報を含むディジタル映像情報が記録された記録媒体からディジタル映像及び同期情報を読み出す読み出し部と、前記読み出し部が読み出したディジタル映像情報及び同期情報を復調する復調部と、前記復調部から１本の伝送線により入力される前記復調部が復調したディジタル映像情報及び同期情報に基づいてディジタル映像信号を出力するディジタル映像出力部と、前記復調部から１本の伝送線により入力される前記復調部が復調したディジタル映像情報をアナログ映像信号に変換して出力するアナログ映像出力部と、前記読み出し部から読み出した同期情報に基づいて前記アナログ映像出力部が出力するアナログ映像信号の出力タイミングを制御し、前記ディジタル映像出力部からのディジタル映像信号の出力と前記アナログ映像出力部からのアナログ映像信号の出力を同期させる制御部とを備えるものである。
【発明の効果】
【００１２】
本発明の映像再生装置によれば、記録媒体から読み出したディジタル映像情報を、伝送線数を最小限として、ディジタル映像信号とアナログ映像信号として同期タイミングを合わせて同時に出力することができる。
【発明を実施するための最良の形態】
【００１３】
図１は、本発明の映像再生装置の一実施例の構成を示すブロック図である。
ディスク読み出し部１は、映画などの映像信号が記録されたＤＶＤ等の光ディスクが装填され、装填された光ディスクからディジタル映像信号を読み出す。ＭＰＥＧデコーダ２は、ディスク読み出し部１が読み出したディジタル映像信号からメインピクチャビットストリームを分離し、ＭＰＥＧ復号してディジタル映像信号として出力する。
同期信号出力部３は、ＭＰＥＧデコーダ１２が復号したディジタル映像信号に含まれる同期信号を検出し、水平同期信号HS、垂直同期信号VSを生成して出力する。
【００１４】
ＭＰＥＧデコーダ２が復号したディジタル映像信号は、ディジタル映像信号出力部４、及びアナログ映像信号出力部５に入力される。
ディジタル映像信号出力部４は、同期コードに基づく同期タイミングでディジタル映像信号を出力端子４ａに出力する。
アナログ映像信号出力部５は、ディジタル映像信号をアナログ映像信号に変換し、同期信号出力部３から入力される水平同期信号HS、垂直同期信号VSに基づく同期タイミングで、出力端子５ａに出力する。
【００１５】
制御部６は、ディスク読み出し部１、ＭＰＥＧデコーダ２、ディジタル映像信号出力部３、及びアナログ映像信号出力部４を制御する。
操作部７は、光ディスクの再生開始、再生停止等の操作を行う操作ボタンを備え、操作信号を制御部６に入力する。なお、操作部７は、操作ボタンを備えるリモートコントローラを用いて、操作信号を赤外線で転送し制御部６に入力する構成として実施することもできる。
表示部８は、制御部６から入力される、映像再生装置の動作状態を示す表示信号、又はディスク読み出し部１によって読み出された情報信号を表示する。
【００１６】
図２は、本発明の映像再生装置における信号の例を示す図である。図２において、(a)は垂直同期信号VS、(b)は水平同期信号HS、(c)はディジタル映像信号である。
ＭＰＥＧデコーダ２から出力されるディジタル映像信号は、走査線１本分のディジタル映像信号の中に、表示する映像データと、当該映像データの開始と終了とを示す４バイトの同期信号(以下、同期コードと呼ぶ)SAV、EAVとが含まれている。ここでは、ＮＴＳＣ信号を用いたインタレース信号(飛び越し走査方式)の例を示す。
【００１７】
同期コード４バイトは、固定値３バイトと変数値１バイトとで構成されていて、映像データの開始と終了、即ち、映像表示範囲の開始と終了とを示す。
垂直同期信号VSと水平同期信号HSは、表示する映像信号の垂直と水平の表示位置を示すものであり、アナログ映像出力では、テレビ放送受信装置などの表示装置が映像を表示するために必要な同期信号の位置、情報を示す。
【００１８】
本実施例では、ディジタル映像信号出力部４は、ＭＰＥＧデコーダ２から同期コードを含むディジタル映像信号を入力し、その同期コードに基づくタイミングでディジタル映像信号を出力する。また、アナログ映像信号出力部５は、ＭＰＥＧデコーダ２から出力されるディジタル映像信号、及び同期信号出力部３から出力される水平同期信号HS及び垂直同期信号VSを入力し、その水平同期信号HS及び垂直同期信号VSに基づく同期タイミングでアナログ映像信号を出力する。
【００１９】
以上、本実施例の映像再生装置によれば、１本の転送経路によってＭＰＥＧデコーダ２からディジタル映像出力部４及びアナログ映像出力部５へのディジタル映像信号の転送を行うことができ、それぞれの同期タイミングを合わせているので、複数の映像信号出力、即ち、アナログ映像信号の出力とディジタル映像信号の出力とを同時に行うことができる。
【図面の簡単な説明】
【００２０】
【図１】本発明の映像再生装置の一実施例の構成を示すブロック図である。
【図２】本発明の映像再生装置におけるディジタル映像信号の例を示す図である。
【図３】従来の映像再生装置の一例の構成を示すブロック図である。
【符号の説明】
【００２１】
１  ディスク読み出し部
２  ＭＰＥＧデコーダ
３  同期信号出力部
４  ディジタル映像信号出力部
５  アナログ映像信号出力部
４ａ、５ａ  出力端子
６  制御部
７  操作部
８  表示部
【図１】
2007096404.tif 000003
【図２】
2007096404.tif 000004
【図３】
2007096404.tif 000005